(57)【特許請求の範囲】
【請求項１】
ドラム支持杆にドラムを固定するためのドラムの支持構造において、
ドラムのボトム側に配置される連続した２個以上の所定のボトム側ラグに、周方向に延びる長尺な板状のホルダー部材を支持させ、
該ホルダー部材にドラム支持杆のためのブラケット部材を設けてドラムを支持してなり、
前記所定のボトム側ラグに、それぞれ前記ホルダー部材を挟持した状態で支持する挟持手段を設けるとともに、
前記ブラケット部材を前記ホルダー部材における前記ラグ間の所定位置に設けてなることを特徴とするドラムの支持構造。
【請求項２】
前記所定のボトム側ラグに対し、弾性部材を介して前記ホルダー部材を取り付けてなる請求項１記載のドラムの支持構造。
【請求項３】
前記所定のボトム側ラグを、外面側に前記ホルダー部材を弾性部材とともに受け入れる凹部を有するラグ本体と、該ラグ本体にネジ止めされて凹部を覆うカバー体とより構成し、該凹部とカバー体の間に前記ホルダー部材及び弾性部材を挟持してなる請求項１又は２記載のドラムの支持構造。
【請求項４】
前記所定のボトム側ラグを備え、前記ホルダー部材及びブラケット部材を用いた請求項１〜３の何れか１項に記載のドラムの支持構造によりドラム支持杆に固定されるドラム。
【発明の詳細な説明】
【技術分野】
【０００１】
本発明は、ドラムの音響効果を妨げることなくドラムを安定支持でき、特にタムタムの支持に好適なドラムの支持構造及び該支持構造により支持されるドラムに関するものである。
【背景技術】
【０００２】
この種のドラム支持構造としては、従来、ドラム胴の中央部にブラケットを取り付け、バスドラムに固定されたタムホルダーから延びるドラム支持杆を前記ブラケットに挿通して保持させるものが提供されている。しかし、このような支持構造にあっては、本来音の良好な共鳴機能を有しているはずのドラム胴に異質なブラケットを取り付けてドラム支持杆に連結されているため、該ブラケットから音の伝達が逃げるとともに前記共鳴機能が阻害され、音域が狭くなって本来の音の伸びや音の出始めのアタック感も十分に得られなくなってしまう。また、ドラムの全重量がドラム胴のブラケット部分に集中するため、長期間の使用によりドラム胴の当該部分に局所的な歪みやねじれが生じ、上記共鳴機能を更に損なってしまう虞もあった。
【０００３】
これに対し、ドラム胴に直接ブラケットを取り付けることを回避する構造として、ドラム胴開口端部のフープや該フープをラグに連結する締め付け調整ボルトに、ドラム支持用の部材を取り付け、ブラケットを介してドラム支持杆に固定する方法が提案されている（例えば、特許文献１乃至３参照。）。これらフープや締め付け調整ボルトとしてボトム側のものに支持用の部材を取り付けて支持すると、特にボトム側フープはドラムの自重によって捲れる方向に力が作用する。このため、このような構造を採用する際には必然的にトップ側のフープや締め付け調整ボルトを利用することとなる。しかしながら、ドラムのトップ側をこのように支持用部材やブラケットで支持すると、トップ側のドラムヘッドからドラム胴への音の伝達が妨げられ、ドラム胴が本来有している共鳴機能が阻害され、音域が狭くなるなど上述と同様の問題がより顕著に表れる。
【０００４】
また、フープはドラムヘッドのヘッド枠を保持してドラム胴開口端部にドラムヘッドを張るための押え部材であり、締め付け調整ボルトは当該フープをラグに連結してドラムヘッドの張り具合を調整するものであって、何れもドラムヘッドの張り具合、すなわち音質に直結するデリケートな部材である。このようなフープや締め付け調整ボルトに支持用部材を取り付けてドラムの自重を作用させることは出来るだけ避けることが好ましく、当該自重で歪みなどが生じるとドラムヘッドの張りにも不均一が生じるなど、演奏者が期待するドラム本来の音を安定して出すことができなくなる。また、トップ側ドラムヘッドの交換作業が、一旦ドラムをホルダーから下ろさなければできなくなるといった作業性の問題もある。
【先行技術文献】
【特許文献】
【０００５】
【特許文献１】特開平７−２１０１５４号公報
【特許文献２】特開平５−１２７６６９号公報
【特許文献３】特開平３−１１１８９５号公報
【発明の概要】
【発明が解決しようとする課題】
【０００６】
そこで、本発明が前述の状況に鑑み、解決しようとするところは、ドラム本来が有している共鳴機能や音質を阻害することがなく、また、長期の使用によっても各部のドラム構成部品に歪やねじれが生じることもなく、作業性にも優れるドラム支持構造を提供する点にある。
【課題を解決するための手段】
【０００７】
本発明は、前述の課題解決のために、ドラム支持杆にドラムを固定するためのドラムの支持構造において、ドラムのボトム側に配置される複数のボトム側ラグのうち、連続した２個以上の所定のボトム側ラグに、周方向に延びる長尺な板状のホルダー部材を支持させ、該ホルダー部材にドラム支持杆のためのブラケット部材を設けてドラムを支持したことを特徴とするドラムの支持構造を提供する。
【０００８】
ここで、前記所定のボトム側ラグに、それぞれ前記ホルダー部材を挟持した状態で支持する挟持手段を設けるとともに、前記ブラケット部材を前記ホルダー部材における前記ラグ間の所定位置に設けてなる構造が好ましい。
【０００９】
また、前記所定のボトム側ラグに対し、弾性部材を介して前記ホルダー部材を取り付けてなる構造が好ましい。
【００１０】
更に、前記所定のボトム側ラグを、外面側に前記ホルダー部材を弾性部材とともに受け入れる凹部を有するラグ本体と、該ラグ本体にネジ止めされて凹部を覆うカバー体とより構成し、該凹部とカバー体の間に前記ホルダー部材及び弾性部材を挟持してなる構造が好ましい。
【００１１】
また本発明は、前記所定のボトム側ラグを備え、ホルダー部材及びブラケット部材を用いた上記のドラムの支持構造によりドラム支持杆に固定されるドラムを提供する。
【発明の効果】
【００１２】
以上にしてなる本願発明に係るドラムの支持構造は、ドラムのボトム側に配置される連続した２個以上の所定のボトム側ラグに、周方向に延びる長尺な板状のホルダー部材を支持させ、該ホルダー部材にドラム支持杆のためのブラケット部材を設けてドラムを支持した構造であり、元々配置されているラグを用いて支持しているので、ドラムが本来有している共鳴機能や音質を阻害することがなく、ヘッドの張り具合等に悪影響を与えることもない。また、ホルダー部材をボトム側の２個以上連続するラグに支持させているので、ドラムの自重が局所的に集中することが回避され、周方向に沿った複数のラグで支持していることから一つ当たりのラグの箇所に作用するドラムの自重によるモーメントも小さく抑えられ、ドラム胴に歪やねじれが生じることも防止できる。
【００１３】
更に、ボトム側のラグでドラム全体を支持しているため、当該ラグよりも上側（トップ側）のドラム胴やトップ側ドラムヘッドには全く外部からの拘束がなく自由な状態となっており、ドラム胴の本来の共鳴機能を発揮させ、ドラム本来の良好な音質で演奏することができる。したがって、ドラム胴にブラケットを設けたり、フープや締め付け調整ボルトに取り付けていた従来の支持構造によるドラムに比べ、音域が広がるとともに、音の伸びもよく、音の出始めのアタック感も向上する。また、同じくトップ側が完全にフリーとなっていることから、ドラムヘッドの交換などの作業も支持状態のまま容易に張り替えることが可能であり、優れた作業性が維持されている。
【００１４】
また、前記所定のボトム側ラグに、それぞれ前記ホルダー部材を挟持した状態で支持する挟持手段を設けるとともに、前記ブラケット部材を前記ホルダー部材における前記ラグ間の所定位置に設けたので、当該ボトム側ラグとホルダー部材の着脱作業も容易となる。
【００１５】
また、前記所定のボトム側ラグに対し、弾性部材を介して前記ホルダー部材を取り付けたので、当該ボトム側ラグからホルダー部材への音の逃げや振動の伝達等を回避でき、ドラム本来の良好な音質を発揮させることができる。
【００１６】
また、前記所定のボトム側ラグを、外面側に前記ホルダー部材を弾性部材とともに受け入れる凹部を有するラグ本体と、該ラグ本体にネジ止めされて凹部を覆うカバー体とより構成し、該凹部とカバー体の間に前記ホルダー部材及び弾性部材を挟持してなるので、着脱作業がより容易になるとともにホルダー部材を当該ラグに対して安定した姿勢で保持することができる。
【図面の簡単な説明】
【００１７】
【図１】本発明の代表的実施形態に係るドラムの支持構造を示す斜視図。
【図２】同じくドラム支持構造の要部を示す断面図。
【図３】同じくドラム支持構造に用いるラグを示す説明図であり、（ａ）は側面図、（ｂ）は正面図、（ｃ）は底面図。
【図４】同じくラグの分解斜視図。
【図５】ドラム支持構造の変形例を示す要部の断面図。
【発明を実施するための形態】
【００１８】
次に、本発明の実施形態を添付図面に基づき詳細に説明する。
【００１９】
図１は、本発明に係るドラム支持構造の構成を示す説明図であり、図１〜５は代表的実施形態を示し、図中符号１はドラム、２、２Ａはラグ、３は支持杆、４はブラケット部材、９はドラム支持杆、Ｓは支持構造をそれぞれ示している。
【００２０】
本発明のドラム支持構造Ｓは、図１に示すように、ドラム支持杆９にドラム１を固定するための支持構造であり、ドラム１のボトム側に配置される複数のボトム側ラグ２、２Ａのうち、周方向に連続して配される２個以上の所定のボトム側ラグ２Ａに、周方向に延びる長尺な板状のホルダー部材３を支持させ、該ホルダー部材３に、ドラム支持杆９のためのブラケット部材４を設けてドラム１を支持する構造である。ホルダー部材３やブラケット部材４は金属製であるが、強度を維持できるものであれば他の材料を用いてもよい。本発明の支持構造で支持されるのに最適なドラムは、タムタムと呼ばれる中太鼓である。
【００２１】
従来の支持構造では、演奏者により打叩されるトップ側のドラムヘッドに近いフープや締め付け調整ボルトにホルダーを固定したり、或いはドラム胴に直接ブラケットを固定して支持されていたことから、トップ側のドラムヘッドから発生する音の伝達が当該ホルダーやブラケットに逃げて阻害され、ドラム胴が本来持っている共鳴機能を十分機能させることができなかったが、本発明のように打叩されるトップ側のドラムヘッドから遠いボトム側の位置で、しかも元々ドラム胴に固定されているボトム側ラグの複数にホルダーを支持させたので、少なくともそれよりも上側（トップ側）のドラム胴はフリーであって本来の共鳴機能がまったく損なわれず、良好な音質を得ることが可能となるのである。
【００２２】
ドラム支持杆９は、例えば従来から公知のタムホルダーから延びる先端の支持部材であり、タムホルダーの下端部は図示しないタムホルダーベースを介してバスドラムに固定されたり、或いは床置き型のスタンドに固定される。また、ドラム１のラグ２Ａの構造を除くその他の構成については、従来から公知のものを採用でき、ドラム支持杆９の形態についても本例では上下に延びるドラム支持杆９としているが、ドラム胴に直交する水平に延びるものなど特に限定されず、ブラケット部材４をドラム支持杆の各種形態に合わせた固定構造とすることにより、従来から公知の種々の形態のドラム支持杆に適用することができる。
【００２３】
ドラム１（中太鼓）は、図１、２に示すように、ドラム胴１０の上下（トップ側及びボトム側）の開口端部にそれぞれ設けられるドラムヘッド１１、１３と、各ドラムヘッドの外周縁部を保持してドラム胴１０の開口端部外周に嵌装される環状のヘッド枠１３ａと、同じくドラム胴１０の開口端部外周に嵌装されるトップ側及びボトム側のフープ１２、１４と、ドラム胴１０のトップ側及びボトム側の外周にそれぞれ周方向に間隔を置いて複数配置されるラグ２、２Ａと、フープ１２、１４をラグ２，２Ａに連結する締め付け調整ボルト１２ａ，１４ａ等より構成されている。
【００２４】
締め付け調整ボルト１２ａ，１４ａは、ドラムヘッド１１（１３）の張力を可変設定するもので、各フープ１２（１４）の取付孔を貫通してラグ２、２Ａに組み込まれたラグナット２３に螺合されており、締め付け調整ボルト１２ａ（１４ａ）を締め付けてフープ１２（１４）をヘッド枠に押し付けると、ヘッド枠はラグ２，２Ａ側に移動してドラムヘッド１１（１３）が径方向に伸張して張力が増大し、ドラムの音が調整される。
【００２５】
ラグ２，２Ａは、図２に示すようにドラム胴１０を内側から貫通した取付ネジ２１ａをネジ孔２１ｂに螺合してドラム胴１０外面に固定され、フープ１４（１２）側には該フープから延びる前記締め付け調整ボルト１４ａ（１２ａ）が螺合されるラグナット２３が内部空間７側から遊嵌される取付孔２３ｃが設けられ、ラグナット２３の頭部は内部空間７に臨む内壁部７０の一対の当接面７１に係合して回り止めされ、締め付け調整ボルト１４ａの螺合が可能とされている。ラグナット２３が取付孔２３ｃに遊嵌されるのは、該ラグナット２３と一体化された締め付け調整ボルト１４ａがラグ２、２Ａに対して若干の傾斜を許容するためであり、ラグナット２３の頭部と取付孔２３ｃの内側の縁部との間にはゴム製リング２４が介装され、不用な遊びを阻止して異音発生を防止している。
【００２６】
また、図３、４にも示すように、同じくラグ２、２Ａの内壁部７０に形成される一対の係合溝７２に、ラグナット２３の内部空間７側への抜け落ちを防止するための当止プレート６が係合され、該プレートにはラグナット２３を貫通した締め付け調整ボルト１４ａの先端側が貫通する通孔６０が形成されている。また、当該当止プレート６にはラグ２、２Ａをドラム胴１０に固定した際にドラム胴１０表面に圧着して当該プレートの不用な遊びを阻止して異音発生を防止する突起部６１が形成されている。
【００２７】
図３、４は、ホルダー部材３を支持する所定のラグ２Ａの構造を示しているが、上述したラグの構成は、他のラグ２にも共通の構成である。そして、ラグ２Ａに特有の構成として、ラグ２Ａは、図２〜４に示すように、外面側にホルダー部材３を弾性部材５とともに受け入れる凹部２０を有するラグ本体２１と、該ラグ本体２１にネジ止めされて凹部２０を覆うカバー体２２とより分割構成されており、該凹部２０及びカバー体２２がその間にホルダー部材３及び弾性部材５を挟持する挟持手段８として機能する。ラグ本体２１やカバー体２２は、他のラグ２と同一材料よりなるものが好ましく、本例では金属製である。
【００２８】
より具体的には、カバー体２２の上下適所の通孔２２ｂを外側から貫通した取付ネジ２２ａを、ラグ本体２１の凹部２０外側の対応する位置に設けたネジ孔２１ｃに螺合することで、凹部２０及びカバー体２２の間に挟み込んだホルダー部材３及び弾性部材５を挟持して固定するように構成されている。尚、図５に示すようにカバー体２２の一部、（図示した例では上端部）に、ラグ本体２１に掛止される掛止片２２ｃを設け、反対側の部分（下端部）を取付ネジ２２ａで固定するようにしてもよい。これによりホルダー部材３や弾性部材５のラグ２Ａへの取付け作業をより効率よく行うことができ、取付ネジが少ない分、外観上も好ましいものとなる。
【００２９】
尚、本実施形態では、ホルダー部材３をラグ２Ａに支持させる手段として挟持手段８を構成した例を説明しているが、このような挟持手段８の代わりに、ホルダー部材３のラグ２Ａの位置に通孔を設け、該通孔を貫通する取付ネジにより直接ラグ２Ａに固定するようにしてもよい。また、上記分割構成されたラグ２Ａのラグ本体２１とカバー体２２は取付ネジ２２ａを用いて合着されているが、その他の係合手段により互いに係止させる構造でも勿論よい。更には、ホルダー部材３と所定のラグ２Ａを一体形成したもの、特にホルダー部材３と上記のカバー体２２を一体形成したものも好ましい実施例である。
【００３０】
ホルダー部材３は、図１、２に示すようにドラム胴１０の外周側を囲む湾曲形状に形成された長尺な金属板であり、本例では、少なくとも２個のラグ２Ａによって支持されるだけの長さに設定されている。このホルダー部材３の長さやこれを支持するラグ２Ａの個数は、支持されるドラム１の大きさや重量に応じて適宜決定され、例えばドラム胴１０の外周の半周以上を囲む長さに設定したり、特に全周にわたってリング状に形成したものでもよい。
【００３１】
弾性部材５は、ホルダー部材３におけるラグ２Ａにより支持される箇所に部分的に装着される硬質または軟質の合成ゴムや発泡体などの部材であり、ドラム胴１０の振動が伝達されるラグ２Ａからホルダー側に振動が伝達しないように、弾性変形により振動を吸収／遮断するための部材である。本例では筒状に構成され、予めホルダー部材３のラグ２Ａに支持される部位に被着されるが、略コ字状にして同様に被着したり、或いはシート状のものをホルダー部材３の内外面に接着等で取り付けたものでも、ラグ２Ａに支持させる際に挟み込んで構成したものでもよい。
【００３２】
ブラケット部材４は、図１に示すようにラグ２Ａ間のホルダー部材３の中央部付近に設けられ、ドラム支持杆９を保持するための保持金具よりなり、ドラム支持杆９が挿通される保持孔４０を有し、挿通されたドラム支持杆９を所望の高さ位置で保持するための固定ネジ４１が設けられている。本例では、保持金具をホルダー部材３に直接ネジや溶接により固定したが、金属プレート等を介して保持金具を取付けたものでもよい。このようなブラケット部材４はホルダー部材３に対して溶接またはネジなどによって固定される以外に、ダイキャスト製品等として一体形成されることも可能である。また、ブラケット部材４をホルダー部材３に対してドラム胴に沿った周方向（長手方向）にスライド可能に取り付けたものでもよい。
【００３３】
以上、本発明の実施形態について説明したが、本発明はこうした実施例に何ら限定されるものではなく、本発明の要旨を逸脱しない範囲において種々なる形態で実施し得ることは勿論である。
【符号の説明】
【００３４】
１  ドラム
２，２Ａ  ラグ
３  ホルダー部材
４  ブラケット部材
５  弾性部材
６  当止プレート
７  内部空間
８  挟持手段
９  ドラム支持杆
１０  ドラム胴
１１  ドラムヘッド
１２  フープ
１２ａ  締め付け調整ボルト
１３  ドラムヘッド
１３ａ  ヘッド枠
１４  フープ
１４ａ  締め付け調整ボルト
２０  凹部
２１  ラグ本体
２１ａ  取付ネジ
２１ｂ  ネジ孔
２１ｃ  ネジ孔
２２  カバー体
２２ａ  取付ネジ
２２ｂ  通孔
２２ｃ  掛止片
２３  ラグナット
２３ｃ  取付孔
２４  ゴム製リング
４０  保持孔
４１  固定ネジ
６０  通孔
６１  突起部
７０  内壁部
７１  当接面
７２  係合溝
【図１】
0005499545.tif 000002
【図２】
0005499545.tif 000003
【図３】
0005499545.tif 000004
【図４】
0005499545.tif 000005
【図５】
0005499545.tif 000006